(57)【要約】【課題】  バランス調節範囲を大きくすることができ、釣り操作に邪魔になり難いバランスウエイトを備えた釣り竿を提供する。【解決手段】  リールシート３を備えた手元側竿体１の内部空間にバランスウエイト５を配置するとともに、伸縮機構６を介してバランスウエイト５を後グリップ部４に取付け、バランスウエイト５を手元側竿体１の軸線方向に沿って移動自在に構成してある。【選択図】        図２
2007185168.tif 000002
【特許請求の範囲】
【請求項１】
リールシートを備えた手元側竿体の内部空間にバランスウエイトを配置するとともに、伸縮機構を介して前記バランスウエイトを前記手元側竿体に取付け、前記バランスウエイトを前記手元側竿体の軸線方向に沿って移動自在に構成してある釣り竿。
【請求項２】
前記バランスウエイトを、前記伸縮機構を介して、後グリップ部に取り付け、前記後グリップ部を前記手元側竿体の竿尻端に取り付け固定してある請求項１記載の釣り竿。
【請求項３】
前記伸縮機構を介して前記バランスウエイトを取り付けた後グリップ部を、前記手元側竿体の竿尻端に、着脱可能に構成してある請求項１又は２記載の釣り竿。
【請求項４】
前記伸縮機構が、複数個の筒状体を互いに伸縮自在に連結したものである請求項１〜３のうちのいずれか一つに記載の釣り竿。
【発明の詳細な説明】
【技術分野】
【０００１】
本発明は、バランスウエイトを備える釣り竿に関する。
【背景技術】
【０００２】
バランスウエイトを設ける理由は、リールシート部分を握って釣り操作を行う場合に、リールシートを取り付けた位置から竿尻端までとリールシートから穂先竿の先端までとの重量バランスが確保されていないと、リールシート部分を握って仕掛けを投入する場合や釣上げ操作を行う場合に、違和感を感ずることがあり、それらの操作が旨く行えない虞があった。
そこで、バランスウエイトを元竿の竿尻端の内部空間内に収納する構成を採っていた（特許文献１参照）。
【０００３】
【特許文献１】特開２００１−２６９０８４号公報（段落番号〔０００３〕、〔０００６〕、及び、図２、３，５）
【発明の開示】
【発明が解決しようとする課題】
【０００４】
リールシートより竿尻側にバランスウエイトを設けているだけであるので、竿尻側だけでバランスウエイト量を調節することとなり、ジグやエギ等の仕掛けを変更する場合に、竿尻側に位置するバランスウエイト量を調節するだけでは対応が困難となり、改善の余地があった。また、バランスウエイト量を調節することによって、仕掛けを変更した場合に対応することとしているので、バランスウエイト量を増すための予備品を装備する必要があり、その面でも煩雑さを感じさせるものであった。
【０００５】
本発明の目的は、バランス調節範囲を大きくすることができ、釣り操作に邪魔になり難いバランスウエイトを備えた釣り竿を提供する点にある。
【課題を解決するための手段】
【０００６】
〔構成〕
請求項１に係る発明の特徴構成は、リールシートを備えた手元側竿体の内部空間にバランスウエイトを配置するとともに、伸縮機構を介して前記バランスウエイトを前記手元側竿体に取付け、前記バランスウエイトを前記手元側竿体の軸線方向に沿って移動自在に構成してある点にあり、その作用効果は次の通りである。
【０００７】
〔作用〕
バランスウエイトを軸線方向に移動させるだけでバランス調節が行えるので、調節の為の予備のバランスウエイトを装備する必要性が少なく、予備のバランスウエイトを保持することとなっても必要最小限のものに限定できる。
さらには、バランスウエイトを伸縮機構によって竿の軸線方向に沿って移動できるようにしてあるので、竿尻側だけにバランスウエイトを配置する場合に比べて調節範囲を広くすることができる。
しかも、バランスウエイトを元竿の内部空間内に位置させているので、手元側竿体の外周面に設ける場合に比べて釣り操作を行う釣り人の手が接触することはなく、釣り操作を行い易い。
【０００８】
〔効果〕
したがって、仕掛けを変更してバランス調節を行う場合にも迅速にバランス調節が行えるとともに、予備バランスウエイトを装備する必要が少なく、釣り操作も円滑に行える釣り竿を提供できるに至った。
【０００９】
請求項２に係る発明の特徴構成は、請求項１に係る発明において、前記バランスウエイトを、前記伸縮機構を介して、後グリップ部に取り付け、前記後グリップ部を前記手元側竿体の竿尻端に取り付け固定してある点にあり、その作用効果は次の通りである。
【００１０】
〔作用効果〕
後グリップ部をバランスウエイトの取付機構として利用できるので、専用のバランスウエイト取付機構を必要とせず、部品の兼用効果が期待できる。
【００１１】
請求項３に係る発明の特徴構成は、請求項１又は２に係る発明において、前記伸縮機構を介して前記バランスウエイトを取り付けた後グリップ部を、前記手元側竿体の竿尻端に、着脱可能に構成してある点にあり、その作用効果は次の通りである。
【００１２】
〔作用効果〕
つまり、後グリップ部を着脱自在に構成したので、バランスウエイトを手元側竿体内に収納するのに、手元側竿体の竿尻端の開口を利用してバランスウエイトの出し入れが可能になり、敢えて、手元側竿体の外周面に取り入れ取り出し用の開口を設ける必要はない。
また、このようにバランスウエイトを取り出し可能にしたので、バランスウエイトを重量の異なるものに取り換える場合等にも便利である。
【００１３】
請求項４に係る発明の特徴構成は、請求項１〜３に係る発明において、前記伸縮機構が、複数個の筒状体を互いに伸縮自在に連結したものである点にあり、その作用効果は次の通りである。
【００１４】
〔作用効果〕
つまり、複数個の筒状体を形成し、それらを連結するだけで、伸縮機構を構成できるので、伸縮機構としてシリンダ等を使用する場合に比べて、構造の達成化がなり、かつ、手元側竿体と同様の製作方法、製作手順で筒状体を形成でき、特別に伸縮機構を構成する為のものを必要としない。
【発明を実施するための最良の形態】
【００１５】
〔第１実施形態〕
ジグロッド等の手元側竿体１の構成について説明する。図１に示すように、手元側竿体１は、中間位置にリールシート３を装着するとともに竿尻端に後グリップ部４、リールシート３の竿先側に前グリップ部９を備えて構成されている。リールシート３は、竿素材２に被嵌する筒状のシートベース３Ａに固定フード３Ｂを一体形成するとともに、固定フード３Ｂの竿尻端側に可動フード３Ｃを備えて、リールを取り付け固定すべく構成されている。可動フード３Ｃの竿尻側には、相対回転かつ一体移動可能なナット部３Ｄを連結して設けてあり、シートベース３Ａの竿尻端部分にナット部３Ｄを螺進移動させる大径ネジ部３Ｅを形成してある。
【００１６】
次に、後グリップ部４、及び、バランスウエイト５の装着構造について説明する。図  １及び図２に示すように、後グリップ部４は、筒状の本体フレーム４Ａに対してウレタン系、又は、エポキシ系樹脂を被覆した紡錘状の握り部４Ｂとで構成してある。筒状の本体フレーム４Ａの前端の壁面に伸縮機構６を取り付けてある。
【００１７】
伸縮機構６は、図１に示すように、小径筒状体６Ａから大径筒状体６Ｂまでの複数本の筒状体を互いに伸縮自在に連結したものであり、大径筒状体６Ｂの後端基端部を本体フレーム４Ａの前端壁面に取付けて、後グリップ部４に取付固定されている。小径筒状体６Ａの先端には、バランスウエイト５が取り付けられており、小径筒状体６Ａが大径筒状体６Ｂに対して伸長作動することによって、バランスウエイト５は竿先側に移動し、小径筒状体６Ａが大径筒状体６Ｂに対して収縮作動することによって、バランスウエイト５は竿尻側に移動する。
このように、伸縮機構６を伸縮作動させることによって、バランスウエイト５を竿の軸線方向に沿って移動させることができる。
【００１８】
伸縮機構６の各筒状体の構成は、次ぎのようになっている。図２に示すように、小径筒状体６Ａとその次の中径筒状体６Ｃとは、振出竿の構成を踏襲してあり、図２（イ）（ロ）に示すように、小径筒状体６Ａを中径筒状体６Ｃより引き出した状態では、小径筒状体６Ａの後端外周面が中径筒状体６Ｃの先端内周面６ｃに圧接することによって、抜け止め固定される。図１（イ）（ロ）に示すように、小径筒状体６Ａを中径筒状体６Ｃ内に収納した状態では、小径筒状体６Ａの後端外周面が中径筒状体６Ｃの後端内周面に内嵌することによって、抜け止め固定される。
【００１９】
このように、小径筒状体６Ａは、中径筒状体６Ｃに対してその中径筒状体６Ｃから引き出された伸長状態とその中径筒状体６Ｃ内に引退した収縮状態との位置において固定されるようになっており、そのことによって、伸縮機構６としては、各筒状体６Ａ、６Ｂ、６Ｃ等を各々収縮状態と伸長状態とに切り換えることによって、バランスウエイト５の竿尻端からの位置を変更することができる。
【００２０】
次に、後グリップ部４の手元側竿体１の竿尻端開口１Ａに装着する構造について説明する。図１（イ）に示すように、後グリップ部４における本体フレーム４Ａの握り部４Ｂより突出する前壁に嵌合段差部４ａを形成するとともに、手元側竿体１の竿尻端開口１Ａに内嵌凹部１ａを形成し、図１（ロ）に示すように、後グリップ部４の嵌合段差部４ａを手元側竿体１の竿尻端開口１Ａの内嵌凹部１ａに嵌合させることによって、後グリップ部４を手元側竿体１の竿尻端開口１Ａに装着することができる。反対に強く引き抜くと後グリップ部４を伸縮機構６とともに取外すことができる。
尚、後グリップ部４の着脱構造を嵌合構造としたが、ネジ式に螺着するものに構成してもよい。
【００２１】
以上のような構成により、仕掛けを変更したことによってバランスウエイト５の位置調節を必要とする場合には、後グリップ部４を手元側竿体１より取外し、各筒状体６Ａ等を手指操作で伸縮操作することによって、バランスウエイト５の後グリップ部４からの伸長状態を切り換えて、バランスウエイト５の位置を調節する。
バランスウエイト５としては、スティール、鉛、タングステン等の単一物または合金等によって形成する。
【００２２】
〔別実施形態〕
（１）  バランスウエイト５を伸縮機構を取り付ける対象としては、後グリップ部４だけでなく尻栓を対象としてもよい。
（２）  バランスウエイト５を設ける対象として手元側竿体１を選定したが、手元側竿体１とともに中竿等の他の竿体に設けてもよい。
【図面の簡単な説明】
【００２３】
【図１】（イ）は、バランスウエイトをリールシートより後方に位置させるべく伸縮機構を収縮させた状態にして後グリップ部に取り付け、その後グリップを手元側竿体に取り付ける前の状態を示す縦断側面図、（ロ）は、後グリップ部を手元側竿体に取り付けた状態を示す縦断側面図
【図２】伸縮機構を示し、（イ）は、バランスウエイトをリールシートより前方に位置させるべく伸縮機構を伸長させた状態にして後グリップ部に取り付け、その後グリップ部を手元側竿体に取り付ける前の状態を示す縦断側面図、（ロ）は、後グリップ部を手元側竿体に取り付けた状態を示す縦断側面図
【符号の説明】
【００２４】
１            手元側竿体
３            リールシート
４            後グリップ部
５            バランスウエイト
６            伸縮機構
【図１】
2007185168.tif 000003
【図２】
2007185168.tif 000004